(57)【特許請求の範囲】
【請求項１】
機器筐体に形成された開口を扉により開閉自在に覆うとともに、該扉の内側と前記開口の内側との間に係合手段を介在させ、前記開口を前記扉で覆った際に該扉の開閉を前記係合手段により規制するようにした扉の開閉装置において、
前記開口の内周縁を囲繞して、多重合わせ構造の第１の補強リブ群を固着するとともに、前記扉の内周縁を囲繞して、多重合わせ構造の第２の補強リブ群を固着し、さらに前記扉により前記開口を覆った際に、前記第１の補強リブ群と前記第２の補強リブ群とを交互に重ね合わせ、その交互に重ね合わせた第１の補強リブ群と第２の補強リブ群との間に該第１の補強リブ群と第２の補強リブ群とを互いに係合させる係合手段を配設するとともに、
前記第１の補強リブ群は、前記開口の内周縁から内側へ向け所定間隔を設けて離間し、かつ先端が前記扉側に向け突出するように配設された第１の筐体リブと、前記筐体の上方であって、前記第１の筐体リブからさらに内側へ向け所定の間隔を設けて離間し、かつ先端が前記扉側に向け突出するように配設された舌片形状の第２の筐体リブからなり、
前記第２の補強リブ群は、前記扉の内周縁のうち、その上面に配設され、かつ先端が前記開口側に向け突出するように配設された舌片形状の第１の扉リブと、一部が該第１の扉リブに密着するとともに他の部分が前記扉の内周縁に密着し、かつ先端が前記開口側に向け突出した第２の扉リブと、該第２の扉リブから内側へ所定の間隔を設けて離間し、かつ先端が前記開口へ向け突出した第３の扉リブからなり、
前記係合手段は、前記扉の長手方向に沿って前記第３の扉リブにスライド自在に支承された矩形状の枠体と、該枠体の両側方であって、前記開口側に向け突出形成されたフックと、前記枠体の上面に突出形成された枠体ピンと、前記第１の筐体リブの内周面であって、前記枠体に形成されたフックと対向する位置にそれぞれ突出形成された筐体ピンと、該筐体ピンの先端に固着された円板状の抜け止め板と、前記第２の筐体リブに形成され前記枠体ピンと係合する係合孔とからなり、
前記扉により前記開口を覆うと、前記第１の扉リブと第２の扉リブとが、前記筐体の内周縁と前記第１の筐体リブとの間に形成された隙間に嵌挿し、前記第３の扉リブのうち、その上部が前記第２の筐体リブの内側に嵌挿し、また第３の扉リブのうちその両側面が前記第１の筐体リブの内側に嵌挿するようにしたことを特徴とする扉の開閉装置。
【請求項２】
前記枠体ピンの先端に対向する位置の前記舌片形状の第１の扉リブには、特殊焼入鋼板からなる保護板が埋設されていることを特徴とする請求項１に記載の扉の開閉装置。
【請求項３】
機器筐体に形成された開口を扉により開閉自在に覆うとともに、該扉の内側と前記開口の内側との間に係合手段を介在させ、前記開口を前記扉で覆った際に該扉の開閉を前記係合手段により規制するようにした扉の開閉装置において、
前記扉を前記機器筐体の開口下端を中心に回動自在に支承させ、かつ前記扉と前記機器筐体内との間に前記扉の開閉時における前記扉の開閉重量を軽減させる扉開閉重量軽減手段を介在させるとともに、
前記開口の内周縁を囲繞して、多重合わせ構造の第１の補強リブ群を固着し、また前記扉の内周縁を囲繞して、多重合わせ構造の第２の補強リブ群を固着し、さらに前記扉により前記開口を覆った際に、前記第１の補強リブ群と前記第２の補強リブ群とを交互に重ね合わせ、その交互に重ね合わせた第１の補強リブ群と第２の補強リブ群との間に該第１の補強リブ群と第２の補強リブ群とを互いに係合させる係合手段を配設するとともに、
前記第１の補強リブ群は、前記開口の内周縁から内側へ向け所定間隔を設けて離間し、かつ先端が前記扉側に向け突出するように配設された第１の筐体リブと、前記筐体の上方であって、前記第１の筐体リブからさらに内側へ向け所定の間隔を設けて離間し、かつ先端が前記扉側に向け突出するように配設された舌片形状の第２の筐体リブからなり、
前記第２の補強リブ群は、前記扉の内周縁のうち、その上面に配設され、かつ先端が前記開口側に向け突出するように配設された舌片形状の第１の扉リブと、一部が該第１の扉リブに密着するとともに他の部分が前記扉の内周縁に密着し、かつ先端が前記開口側に向け突出した第２の扉リブと、該第２の扉リブから内側へ所定の間隔を設けて離間し、かつ先端が前記開口へ向け突出した第３の扉リブからなり、
前記係合手段は、前記扉の長手方向に沿って前記第３の扉リブにスライド自在に支承された矩形状の枠体と、該枠体の両側方であって、前記開口側に向け突出形成されたフックと、前記枠体の上面に突出形成された枠体ピンと、前記第１の筐体リブの内周面であって、前記枠体に形成されたフックと対向する位置にそれぞれ突出形成された筐体ピンと、該筐体ピンの先端に固着された円板状の抜け止め板と、前記第２の筐体リブに形成され前記枠体ピンと係合する係合孔とからなり、
前記扉により前記開口を覆うと、前記第１の扉リブと第２の扉リブとが、前記筐体の内周縁と前記第１の筐体リブとの間に形成された隙間に嵌挿し、前記第３の扉リブのうち、その上部が前記第２の筐体リブの内側に嵌挿し、また第３の扉リブのうちその両側面が前記第１の筐体リブの内側に嵌挿するようにしたことを特徴とする扉の開閉装置。
【請求項４】
前記扉開閉重量軽減手段は、前記扉を前記開口を閉塞する方向へ常時付勢する付勢手段からなり、該付勢手段の一端は前記機器筐体内に支承され、他端は前記扉の背面に支承されていることを特徴とする請求項３に記載の扉の開閉装置。
【請求項５】
前記付勢手段は、一端が前記筐体内に支承されたコイルバネと、該コイルバネの他端に支承され、前記筐体内に支承されたプーリを介し他端が前記扉の背面に支承されたワイヤーからなることを特徴とする請求項４に記載の扉の開閉装置。
【請求項６】
前記枠体ピンの先端に対向する位置の前記舌片形状の第１の扉リブには、特殊焼入鋼板からなる保護板が埋設されていることを特徴とする請求項３に記載の扉の開閉装置。
【発明の詳細な説明】
【０００１】
【発明の属する技術分野】
この発明は、テレホンカード、商品券等の商品を販売する自動販売機、あるいは貴重品を収納する機器に関し、特にこれらの機器の本体を構成する筐体の開口を開閉する扉の開閉装置に関する。
【０００２】
【従来の技術】
一般に、テレホンカード、ＩＣカード、商品券等のシート材を販売する自動販売機では、販売するテレホンカード等の商品を収納するため、機器本体が頑丈な筐体により構成されている。
【０００３】
そして、このような筐体の正面にはテレホンカード等の商品を出し入れしたり、また商品を購入するために投入された金銭を回収するために大きな開口部が形成され、またこの開口部は頑丈な扉により開閉自在に覆われている。
【０００４】
一方、このような機器では、筐体内に収納された商品や金銭を盗難等の悪戯から保護するため、筐体と扉との間に扉の開閉装置を配設している。
【０００５】
この従来の扉の開閉装置は、筐体の開口と扉との間に介在させた係合ピンとこのピンに係合するフックからなる係合手段を具えており、筐体の開口を扉により覆った際に、この係合手段により筐体と扉とを係合させ、さらにこの係合が容易に解除されないよう係合手段のロック手段を配設し、扉が悪戯等により容易に解放されないようにしていた。
【０００６】
【発明が解決しようとする課題】
ところで、上述した従来の扉の開閉装置によると、筐体の開口と扉とは、単にピンと、このピンに係合するフックとからなる簡単な開閉装置によりその開放を規制する構造であるため簡単に悪戯されて扉が開放されてしまう虞があった。
【０００７】
即ち、扉と筐体開口との会合部等からバール等の工具が挿入されると、その工具は直ちに係合手段であるピンとフックが配置されている場所に届き、その状態で工具に力を加えると、このピンとフックとの係合が簡単に破壊され、そのため扉が無理やりこじあけられて、筐体内部に収納されている商品や金銭が盗まれる虞があった。
【０００８】
この発明は上述した事情に鑑み、簡単にバール等の工具を筐体内の係合手段へ侵入させないようにした扉の開閉装置を提供する。
【０００９】
【課題を解決するための手段】
上述した課題を解決するため、この発明では、機器筐体に形成された開口を扉により開閉自在に覆うとともに、該扉の内側と前記開口の内側との間に係合手段を介在させ、前記開口を前記扉で覆った際に該扉の開閉を前記係合手段により規制するようにした扉の開閉装置において、前記開口の内周縁を囲繞して、多重合わせ構造の第１の補強リブ群を固着するとともに、前記扉の内周縁を囲繞して、多重合わせ構造の第２の補強リブ群を固着し、さらに前記扉により前記開口を覆った際に、前記第１の補強リブ群と前記第２の補強リブ群とを交互に重ね合わせ、その交互に重ね合わせた第１の補強リブ群と第２の補強リブ群との間に該第１の補強リブ群と第２の補強リブ群とを互いに係合させる係合手段を配設するとともに、前記第１の補強リブ群は、前記開口の内周縁から内側へ向け所定間隔を設けて離間し、かつ先端が前記扉側に向け突出するように配設された第１の筐体リブと、前記筐体の上方であって、前記第１の筐体リブからさらに内側へ向け所定の間隔を設けて離間し、かつ先端が前記扉側に向け突出するように配設された舌片形状の第２の筐体リブからなり、前記第２の補強リブ群は、前記扉の内周縁のうち、その上面に配設され、かつ先端が前記開口側に向け突出するように配設された舌片形状の第１の扉リブと、一部が該第１の扉リブに密着するとともに他の部分が前記扉の内周縁に密着し、かつ先端が前記開口側に向け突出した第２の扉リブと、該第２の扉リブから内側へ所定の間隔を設けて離間し、かつ先端が前記開口へ向け突出した第３の扉リブからなり、前記係合手段は、前記扉の長手方向に沿って前記第３の扉リブにスライド自在に支承された矩形状の枠体と、該枠体の両側方であって、前記開口側に向け突出形成されたフックと、前記枠体の上面に突出形成された枠体ピンと、前記第１の筐体リブの内周面であって、前記枠体に形成されたフックと対向する位置にそれぞれ突出形成された筐体ピンと、該筐体ピンの先端に固着された円板状の抜け止め板と、前記第２の筐体リブに形成され前記枠体ピンと係合する係合孔とからなり、前記扉により前記開口を覆うと、前記第１の扉リブと第２の扉リブとが、前記筐体の内周縁と前記第１の筐体リブとの間に形成された隙間に嵌挿し、前記第３の扉リブのうち、その上部が前記第２の筐体リブの内側に嵌挿し、また第３の扉リブのうちその両側面が前記第１の筐体リブの内側に嵌挿するようにしている。
【００１０】
【発明の実施の形態】
以下、この発明に係わる扉の開閉装置の一実施例を詳述する。
【００１１】
図１は、この発明に係わる扉の開閉装置を適用した自動販売機の概念斜視図である。
【００１２】
この自動販売機１は、テレホンカードを販売するテレホンカード用自動販売機で、この自動販売機１は商品であるテレホンカードを収納した立方体形状の機器筐体２と、この機器筐体２の正面に形成された開口（後述する）を開閉自在に覆う扉３とから構成されている。
【００１３】
一方、この扉３の表面には、投入紙幣の真偽を判別し、真券を収納する紙幣処理装置（後述する）の紙幣挿入口４が一部露出しており、またこの扉３の表面には販売対象のテレホンカード見本Ａ、Ｂを展示するシート材展示装置５、６が装着されている。
【００１４】
なお、このシート材展示装置５、６の各下方には、購入するテレホンカードを選択するカード選択ボタン７、８及び、購入したテレホンカードを排出するカード排出口９、１０が配設されており、また紙幣挿入口４の上方には投入金額を表示する投入金額表示装置１１が配設されている。
【００１５】
なお、図１で符号、１２、１３は後述する係合手段を介し扉３を機器筐体２にロック、アンロックするロック装置のキーシリンダである。
【００１６】
次に、上述した扉３の開閉装置を説明する。
【００１７】
図２は、扉３により機器筐体２の正面に形成された開口２１を拡開した状態を示す自動販売機１の概念斜視図である。
【００１８】
この扉３は、その下端３ａと開口２１の下側に位置する機器筐体２の内周縁との間にそれぞれ固着された一対の蝶番２２、２３により、開口２１に対しその下側を中心に回動自在に支承されている。
【００１９】
一方、機器筐体２に形成された開口２１の内周縁と、扉３の内周縁とには、本願発明に係わる扉の開閉装置３０が配設されている。
【００２０】
この扉の開閉装置３０は、開口２１の内周縁を囲繞するように当該開口の内周縁に固着された多重合わせ構造（複数の板材を所定の間隔を設けて重ね合わせた構造）の第１の補強リブ群４０と、扉３の内周縁を囲繞するように当該扉３の内周縁に固着された多重合わせ構造（複数の板材を所定の間隔を設けて重ね合わせた構造）の第２の補強リブ群５０と、第１の補強リブ群４０の内周面と第２の補強リブ群５０の内周面とにそれぞれ配設され、当該第１の補強リブ群４０と第２の補強リブ群４０とを互いに係合させる係合手段６０とから構成されている。
【００２１】
なお、上述した第１および第２の各補強リブ群４０、５０および係合手段６０は、機器筐体２、および扉３と同様に機械的強度の強い金属板（例えば鉄板）により形成されている。
【００２２】
このうち、機器筐体２の開口２１の内周縁に固着された多重合わせ構造の第１の補強リブ群４０は、開口２１の内周縁２１ａから当該開口２１の内側へ向け所定の間隔を設けて離間し、かつ先端４１ａが扉３側に向け突出するように配設されたコの字形状の第１の筐体リブ４１と、開口２１の上方であって、前記第１の筐体リブ４１からさらに内側へ向け所定の間隔を設けて離間するとともに、扉３側に向け突出するように配設された舌片形状の第２の筐体リブ４２とにより構成されている。
【００２３】
また扉３の内周縁を囲繞するように、当該扉３の内周縁に固着された多重合わせ構造の第２の補強リブ群５０は、扉３の内周縁のうち、その上面に固着され、かつ先端５１ａが開口２１側に向け突出するように配設された舌片形状の第１の扉リブ５１と、一部が当該第１の扉リブ５１の下面に密着し、他の部分が扉３の内周縁３ａから内側へ向け所定の間隔を設けて離間するとともに、先端５２ａが開口２１側に向け突出するように配設されたコの字形状の第２の扉リブ５２と、該第２の扉リブ５２から内側へ所定の間隔を設けて離間し、かつ先端５３ａが開口２１側に向け突出するように配設されたコの字形状の第３の扉リブ５３とにより構成されている。
【００２４】
一方、第１の補強リブ群４０と第２の補強リブ群５０とを互いに係合させる係合手段６０は、扉３の長手方向に沿って第３の扉リブ５３にスライド自在に支承された矩形状の枠体６１と、この枠体６１の両側方であって、前記開口２１側に向け３か所づつ突出形成された合計６個のＵ字形状のフック６１ａと、枠体６１の上面６１ｂに所定の間隔を設け突出形成された３個の枠体ピン６１ｃと、前記筐体２に固着された第１の筐体リブ４１の内周面であって、前記枠体６１に形成された６個のフック６１ａと対向する位置にそれぞれ３か所づつ合計６か所に突出形成されたの筐体ピン６２と、第２の筐体リブ４２に形成され前記枠体６１の上面６１ｂに突出形成された３個の枠体ピン６１ｃがそれぞれ係合する３個の係合孔４２ａとから構成されている。
【００２５】
なお、上述した係合手段６０の各構成要素のうち、枠体６１は第３の扉リブ５３の内周面両側にそれぞれ３個づつ合計６か所に突設されたピン７０と、該各ピン７０と対向する位置の枠体６１に形成され、前記各ピン７０が嵌挿する合計６個の長孔６１ｄからなる案内手段７１により第３の扉リブ５３の長手方向に沿ってスライド自在に支承されている。
【００２６】
また、第３の扉リブ５３の上面５３ｅには枠体６１の上面６１ｂに突出形成された３個の枠体ピン６１ｃをそれぞれ案内する３個の案内孔５３ｄが形成され、各案内孔５３ｄ内には常時枠体ピン６１ｃが嵌挿している。
【００２７】
また前記第１の筐体リブ４１の内周面に突出形成された合計６個の各筐体ピン６２の各先端にはそれぞれ係合するフック６１ａが各ピン６２から抜け出ることを規制する円板状の抜け止め板６３が固着されている。
【００２８】
なお、図２で符号８０、８１は枠体６１と扉３の背面との間に張設されたコイルバネで、このコイルバネ８０、８１の付勢力により扉３が垂直に立った際に
（扉３により開口２１を閉塞した際に）、枠体６１は常に一定位置に位置決めされる。
【００２９】
また、図２で符号９０は、係合手段６０を介し扉３を筐体２にロック、アンロックさせるロック装置で、このロック装置９０は枠体６１の下面に固着されたガイド板９１と、このガイド板９１の側方に形成された切り欠９１ａに出没する第１のクランク９２と、ガイド板９１の長孔９１ｂに係合する第２のクランク９３とから構成され、第１のクランク９２と切り欠９１ａとの係合を解除して枠体６１のスライド移動を許容し、また第２のクランク９３を長孔９１ｂ内で回転させることにより枠体６１を図２のアンロック位置から、図３で示す矢印の如くロック位置にスライドさせるものである。
【００３０】
なお、上述した図２で示す第１のクランク９２は図１で示すキーシリンダ１３の回転に連動し、また第２のクランク９３は図１で示すキーシリンダ１２の回転に連動している。
【００３１】
なお、図２で符号１００は筐体２内に配設された紙幣処理装置、符号１０１はこの紙幣処理装置１００の前面および両側面を保護する補強板で、この補強板１０１は万が一、バール等の工具が筐体内に侵入しても、その工具が紙幣処理装置１００を破壊しないように保護するものである。
【００３２】
また図２で符号１１０は筐体２に対する扉３の開閉停止角度を調節するストッパーステーである。
【００３３】
次に上述した開閉装置３０の作用を説明するとともに、併せて構成をより詳細に説明する。
【００３４】
いま、図２に示す扉３の拡開位置から、当該扉３を蝶番２２、２３を中心に時計方向へ回転させて開口２１を覆うと、扉３に固着された第２の補強リブ群５０のうち、第１の扉リブ５１と第２の扉リブ５２とが、筐体２の内周縁と当該筐体２に固着された第１の筐体リブ４１との間に形成された隙間２１ａ内に嵌挿するとともに、第３の扉リブ５３のうち、その上部５３ｅが第２の筐体リブ４２の内側に嵌挿し、また第３の扉リブ５３のうちその両側面５３ｆ、５３ｇが第１の筐体リブ４１の内側に嵌挿する。
【００３５】
その際、第３の扉リブ５３の両側面５３ｆ、５３ｇ先端にそれぞれ３個づつ計６か所に形成された各切り欠５３ｈが、筐体２の第１の筐体リブ４１の両側方に突出形成された対応する各筐体ピン６２と係合する。
【００３６】
図４は、図２に示す扉３の拡開位置から、当該扉３により開口２１を覆った状態を示す筐体２および扉３の要部拡大破断面図である。
【００３７】
図４で示すように、扉３により開口２１を覆うと、扉３の第１の扉リブ５１と第２の扉リブ５２は筐体２と第１の筐体リブ４１との間に形成された隙間１２０に嵌挿し、また第３の扉リブ５３のうち、その上部５３ｅが第２の筐体リブ４２の内側に嵌挿するとともに、第３の扉リブ５３のうちその両側面５３ｆ、５３ｇが第１の筐体リブ４１の内側に嵌挿している。
【００３８】
また第３の扉リブ５３の両側面５３ｆ、５３ｇに形成された切り欠５３ｈは対応する位置に突設された各筐体ピン６２と係合する。なお、この図４で示すように、第３の扉リブ５３の上部５３ｅであって、枠体ピン６１ｃを案内する各案内孔５３ｄの下面にはピンカバー１３０が固着されており、また各枠体ピン６１ｃの先端に対向する位置の第２の扉リブ５２の下面にも、同様にピンカバー１３０が固着されている。
【００３９】
なお、図４に示す扉３の状態にあっては、係合手段６０の枠体６１に形成された各フック６１ａと各筐体ピン６２とは未だ係合はしておらず、このため扉３は図４に示す位置から拡開自在の状態である。
【００４０】
なお、図４で符号１４０は扉３と筐体２との会合部である。
【００４１】
一方、図４に示す状態から、ロック装置９０のキーシリンダ１２を図示せぬキーを用いて一方向へ回転させると、第２のクランク９３が連動して一方向へ回転し、これにより長孔９１ｂを介してガイド板９１が矢印方向へ上動し、同時にこのガイド板９１に固着された枠体６１は案内手段７１の長孔６１ｄに沿って上動する。
【００４２】
このように係合手段６０の枠体６１が上動すると、図５で示すように、枠体６１の上面６１ｂに突設された各枠体ピン６１ｃが第２の筐体リブ４２に形成された対応する各係合孔４２ａ内に嵌挿して当該第２の筐体リブ４２と係合するとともに、各枠体ピン６１ｃの先端が第２の扉リブ５２下面に固着されたピンカバー１３０内に嵌挿する。
【００４３】
また、係合手段６０の枠体６１が上動すると、枠体６１の両側方に形成された合計６個のＵ字形状のフック６１ａも上動し、それぞれ第１の筐体リブ４１に突設された対応する各筐体ピン６２と係合する。
【００４４】
従って、図５で示す扉３のロック状態では、係合手段６０の枠体６１に形成された各フック６１ａと第１の筐体リブ４１の各筐体ピン６２とが係合するとともに、係合手段６０の枠体６１に突出形成された各枠体ピン６１ｃと第２の筐体リブ４２の各係合孔４２ａとが係合するため、扉３の上方および両側方は筐体２に対して強固にロックされるので、通常の状態においては筐体２に対して扉３が拡開されることはない。
【００４５】
一方、図５で示す扉３による開口２１の閉塞状態から、バール等の工具を扉３と筐体２との会合部１４０から侵入させ、係合手段６０を破壊しようとしても、図５のＡＡ拡大断面図で示す図６のように、係合手段６０のフック６１ａと筐体ピン６２は、扉３あるいは筐体２、第２の扉リブ５２、第１の筐体リブ４１、第３の扉リブ５３、枠体６１、および円板状の抜け止め板６３による６重構造の多重合わせ構造により厳重に保護され、その破壊が可及的に阻止される。
【００４６】
また図５の要部破断拡大図で示す図７のように、係合手段６０の枠体６１に突出形成された各枠体ピン６１ｃと第２の筐体リブ４２の各係合孔４２ａとの係合を破壊しようとしても、枠体ピン６１ｃと係合孔４２ａとの係合は扉３あるいは筐体２、第１の扉リブ５１、第２の扉リブ５２、第１の筐体リブ４１、第２の筐体リブ４２、第３の扉リブ５３による６重構造の多重合わせ構造により厳重に保護され、その破壊が可及的に阻止される。
【００４７】
なお、図７で示す実施例では各枠体ピン６１ｃの先端に対向する位置の前記舌片形状の第１の扉リブ５１には、それぞれドリル破壊防止用の特殊焼入鋼板（具体的にはＳＫＤ材等の合金工具鋼鋼材、ＳＫ３材等の炭素工具鋼鋼材、高速度工具鋼鋼材、中空鋼鋼材等）からなる円板形状の保護板２００が回動自在に埋設されており、特に、ドリルによる穴開けにより、枠体ピン６１ｃを叩いて係合手段６０の係合を解除させる悪戯に対しては、この特殊焼入鋼板により形成された円板形状の保護板２００がドリルによる穴開けに対し強硬に抵抗するので、その穴開け作業を可及的に阻止することができることとなる。なお円板形状の保護板２００は第１の扉リブ５１に対し回動自在に埋設されているから、ドリルが保護板２００に当たると当該ドリルとともに保護板２００も回転し、その穴開の進行が停止することとなる。
【００４８】
一方、上述した自動販売機１では、悪戯による破壊を防止するため前述したように、扉３及び筐体２は板厚が厚く機械的強度の高い鉄板等で形成されているから重量が重く、また図２に示すように、扉３は筐体２の開口２１下端を中心に回動自在に支承される構造であるから、扉３の開閉作業時に当該扉３の自重が扉３の開閉作業を行うオペーレータに加わり、このため扉３の開閉作業が困難となる虞がある。
【００４９】
そこで、この実施例では、上述した重量の重い扉３の開閉作業を容易にするため、図１のＤＤ断面図で示す図８のように、扉３と筐体２との間に、扉３の開閉時における当該扉３の開閉重量を軽減させる扉開閉重量軽減手段３００を介在させている。なお、図８で図１および図２と同一部分は同一符号で示す。
【００５０】
この扉開閉重量軽減手段３００は、扉３により開口２１を閉塞する方向へ常時付勢する付勢手段であるコイルバネ３０１と、このコイルバネ３０１に連設されたワイヤー３０２とから構成されている。
【００５１】
なお、図８で符号４００はテレホンカードＡを払い出すカード払い出し装置、符号４０１はテレホンカードＢを払い出すカード払い出し装置で、いずれも、図２に示す筐体２内に配置された紙幣処理装置１００に隣接するスペースＥ内に、それぞれ上下二段に配設されている。
【００５２】
上述した扉開閉重量軽減手段３００のコイルバネ３０１は、その一端３０１ａが筐体２の背面に固着されたリブ３０３にネジ３０４を介し支承され、その他端３０１ｂにワイヤー３０２の一端３０２ａが支承されている。
【００５３】
一方、このワイヤー３０２はその途中がリブ３０５に支承されたベアリング付ローラからなるプーリ３０６により、その張設方向が進行方向に沿って９０度折り曲げられ、その他端３０２ｂを扉３の背面に固着されたリブ３０７に支承させるようにしている。
【００５４】
このようにプーリ３０６を介しワイヤー３０２の張設方向を変更すると、筐体２内のデッドスペースにワイヤー３０２を張設することが可能となる。
【００５５】
次に、上述した扉開閉重量軽減手段３００の作用を説明する。
【００５６】
いま、図８に示す扉３の閉塞位置から、オペレータが重量の重い扉３をその下端にある蝶番２２、２３を中心に時計方向へ回転させ、筐体２の開口２１を拡開すると、図９で示すように扉開閉重量軽減手段３００のコイルバネ３０１が伸長してワイヤ３０２を介し扉３を蝶番２２、２３の軸を中心に反時計方向へ回動させる力（モーメント）を作用させるので、扉３を拡開するオペレータには重量の重い扉３の自重が直接作用せず、このためオペレータは簡単な操作で、扉３の拡開作業と、その閉塞作業とを行うことができることとなる。
【００５７】
なお、図９は筐体２に対して扉３を約４５度拡開した状態を示し、また図１０は筐体２に対して扉３を約８０度拡開した状態を示す。
【００５８】
なお、この図９及び図１０で示すように扉３を約４５度、あるいは約８０度拡開した状態においても、扉３には扉開閉重量軽減手段３００のコイルバネ３０１による蝶番２２、２３の軸を中心とした反時計方向の力（モーメント）が常時作用しているので、この各拡開位置から扉３を開口２１の閉塞位置（図８）へ戻すに際にも、大きな力は不要である。
【００５９】
従って、上述した扉開閉重量軽減手段３００によると、重たい扉３の開閉作業が容易となるので、筐体２内に配設された各カード払い出し装置４００、４０１に対するカードの補給作業、あるいは図２に示す筐体２内に配置された紙幣処理装置１００に対する紙幣の収容作業等の各種作業を容易に行うことができることとなる。
【００６０】
【発明の効果】
以上説明したように、この発明の扉の開閉装置では、筐体の開口に多重合わせ構造の第１の補強リブ群を固着するとともに、扉の内周縁に多重合わせ構造の第２の補強リブ群を固着し、さらに扉により筐体開口を覆った際に第１の補強リブ群と前記第２の補強リブ群とを交互に重ね合わせ、かつ、その交互に重ね合わた第１の補強リブ群と第２の補強リブ群との間に第１の補強リブ群と第２の補強リブ群とを互いに係合させる係合手段を配設するようにしたから、バール等の工具が侵入しても、その工具は第１の補強リブ群と第２の補強リブ群とが障壁となって係合手段へ到達しにくく、このためバール等の工具による係合手段の破壊を防止して悪戯による扉の強制的開閉を可及的に阻止し、これにより機器筐体内に収納された商品、金銭等の貴重品の盗難を可及的に防止することができる。
【００６１】
またこの発明では、筐体と扉との間に扉の開閉時の重量を軽減する扉重量軽減手段を配設するようにしたため、オペレータによる扉の開閉作業が極めて容易で、このため、筐体内に収容された物品等の出し入れ等の作業を容易に行うことができる。
【図面の簡単な説明】
【図１】図１は、この発明の開閉装置を適用した自動販売機の概念斜視図。
【図２】図２は、扉を拡開した状態を示す自動販売機の概念斜視図。
【図３】図３は、扉を拡開した状態を示す自動販売機の概念斜視図。
【図４】図４は、扉を閉めた状態を示す筐体の要部破断拡大断面図。
【図５】図５は、扉をロックした状態を示す筐体の要部破断拡大断面図。
【図６】図６は、図５のＡＡ拡大断面図。
【図７】図７は、図５の要部破断拡大図。
【図８】図８は、扉重量軽減手段扉を配設した図１のＤＤ断面図。
【図９】図９は、扉を４５度拡開した状態を示す筐体の断面図。
【図１０】図１０は、扉を８０度拡開した状態を示す筐体の断面図。
【符号の説明】
２…機器筐体
３…扉
２１…開口
３０…扉の開閉装置
４０…第１の補強リブ群
４１…第１の筐体リブ
４２…第２の筐体リブ
４２ａ…係合孔
５０…第２の補強リブ群
５１…第１の扉リブ
５２…第２の扉リブ
５３…第３の扉リブ
６０…係合手段
６１…枠体
６１ａ…フック
６１ｃ…枠体ピン
６２…筐体ピン
６３…抜け止め板
２００…保護板
３００…扉開閉重量軽減手段
３０１…コイルバネ（付勢手段）
３０２…ワイヤー３０２
【図１】
0003729227.tif 000002
【図２】
0003729227.tif 000003
【図３】
0003729227.tif 000004
【図４】
0003729227.tif 000005
【図５】
0003729227.tif 000006
【図６】
0003729227.tif 000007
【図７】
0003729227.tif 000008
【図８】
0003729227.tif 000009
【図９】
0003729227.tif 000010
【図１０】
0003729227.tif 000011